(57)【要約】      （修正有）【課題】ケーブルを支持させる手間を低減するケーブル支持シート、及びそれを用いた電子機器を提供する。【解決手段】弾性変形可能なシート本体５１と、シート本体５１に設けられている切れ込みによって基端部５３を残して分離されている支持片５２とでケーブルを狭持するケーブル支持シート５０であって、支持片５２は、基端部５３から末端部６１側に離間した所定の位置５４より末端部６１側に所定の位置５４の幅より幅が広い部分５５を有している。ケーブルを一方向から挟み込ませるだけでよくなるため支持させる手間が低減する。【選択図】図３
2005129729.tif 000002
【特許請求の範囲】
【請求項１】
弾性変形可能なシート本体と前記シート本体に設けられている切れ込みによって基端部を残して分離されている支持片とでケーブルを狭持するケーブル支持シートであって、
前記支持片は、基端部から末端部側に離間した所定の位置より前記末端部側に前記所定の位置の幅より幅が広い部分を有していることを特徴とするケーブル支持シート。
【請求項２】
筐体と、
前記筐体内の互いに離間した２点間に架設され、所定のケーブルを狭持して前記２点間を所定の経路で案内する請求項１に記載のケーブル支持シートと、
を備えることを特徴とする電子機器。
【請求項３】
前記シート本体は、前記シート本体の長手方向の所定の位置で短手方向に延びる仮想線に沿って折れ曲がる折り曲げ部が設けられていることを特徴とする請求項２に記載の電子機器。
【発明の詳細な説明】
【技術分野】
【０００１】
本発明は、ケーブル支持シート、及びそれを用いた電子機器に関する。
【背景技術】
【０００２】
シート本体とシート本体に切れ込みを設けることによって形成されている支持片とでケーブルを支持して案内するケーブル支持シートが知られている。
図６は、従来のケーブル支持シートの一例を示す模式図である。従来のケーブル支持シート８０では、シート本体８１に向きの異なる支持片８３で一つの組を形成することにより、ケーブル８２がケーブル支持シート８０の短手方向のどちらにも外れないようにしている。
【発明の開示】
【発明が解決しようとする課題】
【０００３】
しかしながら、従来のケーブル支持シートによると、ケーブルを支持させるときにケーブルを図６においてＸ方向とＹ方向との２方向から挟み込ませる必要があり、ケーブルを支持させるのに手間がかかるという問題がある。
本発明は、かかる問題に鑑みて創作されたものであって、ケーブルを支持させる手間を低減するケーブル支持シート、及びそれを用いた電子機器を提供することを目的とする。
【課題を解決するための手段】
【０００４】
上記目的を達成するため、本発明に係るケーブル支持シートは、弾性変形可能なシート本体と前記シート本体に設けられている切れ込みによって基端部を残して分離されている支持片とでケーブルを狭持するケーブル支持シートであって、前記支持片は、基端部から末端部側に離間した所定の位置より前記末端部側に前記所定の位置の幅より幅が広い部分を有していることを特徴とする。支持片に基端部から離間した所定の位置より末端部側に前記所定の位置の幅より幅が広い部分を設けると、ケーブルを支持させたとき幅の広い部分がシート本体に重なって引っ掛かり、ケーブルが外れ難くなる。このため向きの異なる支持片を一組にして備える必要がなく、ケーブルを一方向から挟み込ませるだけでよくなるため支持させる手間が低減する。よってこのケーブル支持シートによると、ケーブルを支持させる手間を低減できる。
【０００５】
上記目的を達成するため、本発明に係る電子機器では、筐体と、前記筐体内の互いに離間した２点間に架設され、所定のケーブルを狭持して前記２点間を所定の経路で案内する請求項１に記載のケーブル支持シートと、を備えることを特徴とする。この電子機器によると、請求項１に記載のケーブル支持シートを備えることにより、筐体内の所定のケーブルを所定の経路で案内できる上、ケーブルを支持させる手間が低減する。よってこの電子機器によると、ケーブルを支持させる手間を低減できる。
【０００６】
さらに本発明に係る電子機器では、前記シート本体は、前記シート本体の長手方向の所定の位置で短手方向に延びる仮想線に沿って折れ曲がる折り曲げ部が設けられていることを特徴とする。この電子機器によると、シート本体に折り曲げ部を設けることによってケーブルを案内する経路の自由度が向上する。
【発明を実施するための最良の形態】
【０００７】
以下、本発明を実施するための最良の形態を実施例に基づいて説明する。
図２は、本発明の一実施例に係る電子機器としての複合機１を示す模式図である。複合機１は原稿を読み取るスキャナ部１０と、画像を印刷するプリンタ部２０とを備えている。
スキャナ部１０はスキャナハウジング１１に収容され、所謂フラットベッド型のスキャナを構成している。スキャナハウジング１１の外部には、原稿台１８の盤面を覆う原稿カバー１９が揺動可能に装着されている。スキャナハウジング１１の内部には、キャリッジ１２、光源１３、ミラー１４、レンズ１５、リニアイメージセンサ１６及び処理回路１７が収容されている。キャリッジ１２は、原稿台１８の盤面と平行な水平方向に往復移動可能に設けられ、光源１３、ミラー１４及びレンズ１５からなる光学系とリニアイメージセンサ１６とを図２のα方向に運搬する。図２に破線で示すように、光学系は光源１３により照射された被写体Ｍの反射光像をミラー１４及びレンズ１５を介してリニアイメージセンサ１６に結像する。処理回路１７は、リニアイメージセンサ１６からの出力信号に基づいて原稿Ｍを表す画像データを生成し、その画像データをプリンタ部２０に出力する。
【０００８】
プリンタ部２０は、樹脂等で形成された箱形のプリンタハウジング２１に収容されており、印刷部２２（図１参照）、用紙搬送機構２３、制御回路２４などを備えている。印刷部２２は、インク滴を噴射するインクジェット方式により印刷媒体に画像を印刷する。印刷部２２のキャリッジ２５は水平方向に往復移動可能に設けられ、搭載した複数のカートリッジ２６及び記録ヘッド２７を図２のβ方向に運搬する。各カートリッジ２６は、記録ヘッド２７に供給するインクを収容する。各カートリッジ２６の収容インクは互いに異なる色のカラーインクである。記録ヘッド２７は、各カートリッジ２６からの供給インクを滴状に吐出する複数の図示しないノズルを備えている。搬送機構２３は原稿を位置決めするプラテン、用紙搬送ローラ３２（図１参照）、それらを回転させる紙送りモータなどを有し、給紙口２８（図１参照）から供給された印刷媒体を搬送する。制御回路２４は処理回路１７に電気的に接続され、処理回路１７から受け取る画像データに基づいてキャリッジ２５及び搬送機構２３の作動を制御する。
【０００９】
図１は、プリンタ部２０及びケーブル支持シート５０を示す斜視図である。印刷部２２と給紙口２８との間には記録ヘッド２７を係止してα方向に案内する壁部２９が設けられている。給紙口２８から供給された印刷媒体は壁部２９の下側に設けられている開口部３０から印刷部２２に搬送される。プリンタ部２０は給紙口２８を形成するカバー部材３１を有しており、カバー部材３１は壁部２９に取り付けられている。カバー部材３１は印刷媒体を搬送するための用紙搬送ローラ３２を軸支するための軸受け部３３ａ及び３３ｂ、用紙搬送ローラ３２と協働して印刷媒体を搬送する従動ローラを軸支するための複数の軸受け部３４、３５及び３６、用紙台を係止するための係止部３７などを有している。壁部２９の下側には用紙搬送ローラ３２などを回転させるためのギアボックス３８が設けられており、その回転が図示しない動力伝達機構によって用紙搬送ローラ３２に伝達される。用紙搬送ローラ３２は図示するようにカバー部材３１に軸支されているとき端部がカバー部材３１から突出している。このように複合機１は、図１において壁部２９の右側３９とカバー部材３１の側壁部４０とで形成される角部の空間に可動部が多く配置されている。ケーブル支持シート５０は、図示するように角部に架設されている。具体的には、カバー部材３１の角部と壁部２９の右端とを橋渡しするように設けられている。プリンタ部２０には印刷部２２とプラテンとの間隔を検出するための機械的にオン／オフされる検出スイッチが設けられている。当該スイッチと制御回路２４とを接続するケーブル４１はカバー部材３１に沿って敷設され、ケーブル支持シート５０に支持されて壁部２９側に案内されて検出スイッチに接続されている。ケーブル４１をケーブル支持シート５０に支持させるとケーブルを特定の経路で案内することができ、ケーブル４１が垂れ下がって動力伝達機構に巻き込まれたり、あるいは軸受け部３３ａ及び３３ｂに軸設する用紙搬送ローラ３２に巻き込まれたりすることを防止できる。図示するようにケーブル支持シート５０は三箇所で折れ曲がっている。
【００１０】
図３は、折れ曲がった状態のケーブル支持シート５０を短手方向から見た模式図である。図中のＡ、Ｂ、Ｃ及びＤはそれぞれＷ、Ｘ、Ｙ、Ｚ方向から見たケーブル支持シート５０を示している。ケーブル支持シート５０はプラスチックなどの原料で弾性変形可能に形成されており、シート本体５１には切れ込みによって支持片５２が形成されている。支持片５２は基端部５３を残して切れ込みによってシート本体５１と分離されている。図示するように支持片５２は基端部５３から末端部６１側に離間した所定の位置５４より末端部６１側に位置５４の幅より幅の広い部分５５を有している。本実施例の支持片５２は図示するように幅の広い部分５５より末端部６１側に更に幅の狭い部分を有し、更にそれより末端部６１側にもう一つ幅の広い部分を有している。すなわち、基端部５３に近い幅の狭い部分とその幅の狭い部分より末端部６１側の幅の広い部分とを二組有している。このように幅の狭い部分と広い部分とを複数組設けると、ケーブルをより外れ難くできる。また、シート本体５１は長手方向の所定の位置で短手方向に延びる仮想線に沿って折れ曲がる折り曲げ部５６、５７及び５８が設けられている。折り曲げ部５６、５７及び５８は、予めシートを折り曲げておくことにより形成されている。折り曲げ部５６、５７及び５８を設けると、ケーブル支持シート５０がケーブル４１を案内する経路を規定でき、設計者の意図する経路でケーブル４１を案内することができる。このため、障害物が複数合ったとしてもその障害物の間を縫うようにケーブル４１を案内することが可能になる。シート本体５１には、支持片５２の基端部５３側の両側に切れ込みによって開口部６０が形成されている。開口部６０はケーブル４１をくぐらせるために形成されている。開口部６０を設けると支持片５２の基端部５３を迂回するようにケーブル４１を支持することができ、ケーブル４１を安定して支持することができる。
【００１１】
図４（Ａ）は、ケーブル４１を支持させた状態のケーブル支持シート５０を模式的に示す断面図である。ケーブル支持シート５０にケーブル４１を支持させる場合、作業者は先ずケーブル支持シート５０を２点間に架設した後、支持片５２を弾性変形させ、ケーブル４１を図４においてＸ方向からシート本体５１と支持片５２との間に挟み込ませる。挟み込ませた後、図４に示すように支持片５２を逆側に弾性変形させ、裏面側に押し込む。これを各支持片５２について行うことによりケーブル４１を狭持させる。
【００１２】
図４（Ｂ）は、図４（Ａ）に示す支持片５２をケーブル支持シート５０の表面側から見た模式図である。ケーブル４１を支持した状態のとき、支持片５２は図４（Ａ）に示すように湾曲するためその幅の広い部分の一部５９がシート本体５１に重なるようになる。この結果、支持片５２がシート本体５１から外れ難くなる。
【００１３】
以上説明した本発明の一実施例に係るケーブル支持シート５０によると、ケーブル４１を支持させたとき幅の広い部分の一部５９がシート本体５１に重なって引っ掛かり、ケーブル４１が外れ難くなる。このため向きの異なる支持片を組にして備える必要がなく、ケーブル４１を一方向から挟み込ませるだけでよくなるため支持させる手間が低減する。よってケーブル支持シート５０によると、ケーブル４１を支持させる手間を低減できる。
【００１４】
次に、支持片の変形例について説明する。
図５（Ａ）に示す支持片７１は、幅の狭い部分と広い部分とを一組にした例であり、図５（Ｂ）に示す支持片７２は支持片５２の末広がり部分を逆向きにした支持片の例である。図５（Ａ）に示すように幅の狭い部分と広い部分とは一組だけであってもよい。また、図５（Ｂ）に示すように、末広がり部分が逆向きになるように形成してもよい。
【００１５】
尚、本実施例では電子機器として複合機１を例に説明したが、プリンタ、イメージスキャナ、ファクシミリ、電子複写機などに本発明を適用してもよい。
【図面の簡単な説明】
【００１６】
【図１】本発明の一実施例に係るケーブル支持シートの斜視図。
【図２】本発明の一実施例に係る電子機器の模式図。
【図３】本発明の一実施例に係るケーブル支持シートの模式図。
【図４】（Ａ）及び（Ｂ）は本発明の一実施例に係るケーブル支持シートの模式図。
【図５】（Ａ）及び（Ｂ）は本発明の一実施例に係るケーブル支持シートの変形例を示す模式図。
【図６】従来のケーブル支持シートを示す模式図。
【符号の説明】
【００１７】
１  複合機（電子機器）、４１  ケーブル、５０  ケーブル支持シート、５１  シート本体、５２  支持片、５３  基端部、５６、５７、５８  折り曲げ部、６１  末端部
【図１】
2005129729.tif 000003
【図２】
2005129729.tif 000004
【図３】
2005129729.tif 000005
【図４】
2005129729.tif 000006
【図５】
2005129729.tif 000007
【図６】
2005129729.tif 000008